(57)【特許請求の範囲】
【請求項１】
カッタ枠体（２）の側板間にディスク状のカッタ体（３）を並設した回転軸（４）と、掻込体（５）を並設した回転軸（６）とを平行状に支持した排藁処理装置であって、
カッタ体（３）を並設した回転軸（４）を、入力プーリ（１７）と反対側の片側支持部の近傍で、カッタ体（３）を設けた第１軸（Ａ）と、第２軸（Ｂ）とに分離可能に分割構成し、該第２軸（Ｂ）を前記片側支持部にスライド可能に嵌合支持する構成として、
カッタ体（３）を並設した回転軸（４）を前記片側支持部側へスライドすると共に、第１軸（Ａ）を第２軸（Ｂ）から分離することにより、第２軸（Ｂ）を前記片側支持部に支持したまま第１軸（Ａ）をカッタ枠体（２）から取り外し可能となす一方、
前記第１軸（Ａ）を、前記入力プーリ（１７）側の支持部にスライド可能に嵌合支持すると共に、その軸端部を前記支持部より外方まで延設して該軸端部に入力プーリ（１７）を着脱可能に取り付ける構成として、
前記第１軸（Ａ）を、その軸端部の入力プーリ（１７）を取り外すと共に、前記片側支持部側へスライド移動することにより、第１軸（Ａ）を入力プーリ（１７）側の支持部から取り外し可能となしたことを特徴とするコンバインの排藁処理装置。
【請求項２】
上記カッタ体（３）と掻込体（５）とを側面視でラップしない位置に切替可能に構成し、ラップしない位置に切替えてから第１軸（Ａ）を取り外すようにしたことを特徴とする請求項１記載のコンバインの排藁処理装置。
【発明の詳細な説明】
【０００１】
【発明の属する技術分野】
本発明は、コンバインに装着される排藁処理装置に係り、特に、カッタ枠体の側板間に支持した回転軸を、カッタ枠体から容易に取外すことができる排藁処理装置に関するものである。
【０００２】
【従来の技術】
一般に、コンバインに装着される排藁処理装置には、カッタ枠体の側板間に、ディスク状のカッタ体を並設した回転軸と掻込体を並設した回転軸とを平行状に支持して、カッタ枠体内に投入された脱穀処理後の排藁を細断処理するものが知られている。
【０００３】
このような回転軸は、カッタ体あるいは掻込体の交換時等にカッタ枠体から取外す必要がある。ところが従来の回転軸は、入力側の軸端に嵌着したプーリ、スプロケット等を取外し、更に非入力側のメタル等を取外しても、カッタ枠体の側板間隔よりも長いので、簡単にカッタ枠体から取外すことができず、このため機体の点検整備作業等における回転軸の着脱に多くの時間を要していた。
【０００４】
また、このような回転軸の着脱を容易にするため、軸を二重軸に構成して中軸を抜き取る構造にしたものも提案されているが、このようにすると、全体重量が重くなり、しかもコスト高になるという問題がある。
【０００５】
【発明が解決しようとする課題】
本発明は、上記のような実情に鑑み、従来の問題点を解消すべく創作されたものであって、カッタ枠体の側板間に支持された回転軸であっても、機体の点検整備作業等においては、容易にカッタ枠体から取外すことができるコンバインの排藁処理装置を提供しようとするものである。
【０００６】
【課題を解決するための手段】
上記の課題を解決するため、本発明が講じた技術的手段は、カッタ枠体の側板間にディスク状のカッタ体を並設した回転軸と、掻込体を並設した回転軸とを平行状に支持した排藁処理装置であって、カッタ体を並設した回転軸を、入力プーリと反対側の片側支持部の近傍で、カッタ体を設けた第１軸と、第２軸とに分離可能に分割構成し、該第２軸を前記片側支持部にスライド可能に嵌合支持する構成として、カッタ体を並設した回転軸を前記片側支持部側へスライドすると共に、第１軸を第２軸から分離することにより、第２軸を前記片側支持部に支持したまま第１軸をカッタ枠体から取り外し可能となす一方、前記第１軸を、前記入力プーリ側の支持部にスライド可能に嵌合支持すると共に、その軸端部を前記支持部より外方まで延設して該軸端部に入力プーリを着脱可能に取り付ける構成として、前記第１軸を、その軸端部の入力プーリを取り外すと共に、前記片側支持部側へスライド移動することにより、第１軸を入力プーリ側の支持部から取り外し可能となしたことを特徴とし、また、上記カッタ体と掻込体とを側面視でラップしない位置に切替可能に構成し、ラップしない位置に切替えてから第１軸を取り外すようにしたことを特徴とするものである。
【０００７】
【発明の実施の形態】
次ぎに本発明の実施の形態を、図面に示された実施例に基づいて詳細に説明する。まず図１〜図３において、１はコンバイン本体の後部に装備される排藁処理装置としての排藁カッタであって、この排藁カッタ１は次のように構成されている。すなわちカッタ枠体２の側板間に、カッタ体３を並設した高速回転する回転軸４と、掻込体５を並設した低速回転する回転軸６とが段違い状に軸架されている。
【０００８】
上記掻込体５は、爪刃７と送込み盤８とが所定間隔毎に並設されており、爪刃７と送込み盤８と間には、所定の間隙が保持されている。
【０００９】
そして掻込体５を並設した回転軸６は、その両端部がカッタ枠体２の側板に設けた揺動リンク９に軸支されていて、揺動リンク９の作動により、回転軸６が支点Ｐを軸心としてカッタ体３の回転軸４に近接離間するようになっている。
【００１０】
また、カッタ体３は、排藁を長尺に切断するディスク状の大径切断刃１０と、短尺に切断する小径切断刃１１とが適当間隔毎に並設されている。この大径切断刃１０と小径切断刃１１とは、いずれも、その刃先部を、前記爪刃７と送込み盤８との間隙内に進入可能としたものであり、かつ、大径切断刃１０の数を小径切断刃１１の数よりも少なくしてある。
【００１１】
そして、切換レバー１２の操作に連動する揺動リンク９の作動により、回転軸６を回転軸４に近接離間させて、大径切断刃１０の刃先部のみが爪刃７と送込み盤８との間隙内に進入したときには排藁を長尺に切断し、大径切断刃１０と小径切断刃１１とが同時に間隙内に進入したときには、排藁は両切断刃１０、１１によって短尺に切断される。そして回転軸６を回転軸４からさらに離間させて掻込体５とカッタ体３とが側面視でラップしない位置に切替え可能となっている。
【００１２】
前記回転軸４、６は、所望する回転軸が片側の支持部近傍で着脱可能に分割構成されている。すなわち、分割構成したカッタ体３の回転軸４は、その両端部がカッタ枠体２の側板に配置したベアリング１３、１４で支持されており、このベアリング１３、１４には回転軸４の断面形状に合わせた六角穴のスリーブが嵌入されていて、回転軸４がスライド可能となっている。
【００１３】
そして上記回転軸４は、ベアリング１３による片側の支持部近傍で第１軸Ａと第２軸Ｂとに分割されており、フランジ部１５に挿通したボルト１６の緊締により連結、分離可能となっている。またベアリング１４側の軸端には、入力プーリ１７、スプロケット１８等が嵌着されているが、これらの嵌め合い部の長さＬ１が第２軸Ｂのスライド可能範囲Ｌ２よりも短くなっていて、図２で示すように、カッタ枠体２の後部カバー１９を外し、入力プーリ１７、スプロケット１８等はずした後、スライドさせてフランジ部１５のボルト１６を外せば、回転軸４をカッタ体３の取付側から取外すことができ、また逆の操作で取付け可能となっている。
なお本実施例では掻込体５の回転軸６も、上記と同様の構成により着脱可能な分割構成としたものが示されている。
【００１４】
２０は揺動リンク９の位置決め軸であって、この位置決め軸２０は、支点軸２１に枢着した連動プレート２２に長孔２３を介して連動連結されていて、連動プレート２２に固定した前記切換レバー１２の操作により、位置決め軸２０をカッタ枠体２の側板側に設けた位置決め孔２４に選択嵌入することにより、揺動した揺動リンク９が、掻込体５の回転軸６を図４の（イ）、（ロ）、（ハ）に示すように排藁の短切り位置、長切り位置および掻込体５とカッタ体３とがラップしない位置とに切替え可能となっている。そして掻込体５とカッタ体３とがラップしない位置に切替えたときに回転軸４を取外すようになっている。
【００１５】
図５はカッタ枠体２の一側に設けた動力伝動機構を示すものであって、カッタ体３の回転軸４に設けた入力プーリ１７に機体側からの動力が伝動ベルト２５を介して伝達される。また上記回転軸４に設けた駆動スプロケット２６とカウンタ入力スプロケット２７および排藁拡散ラセン２８の入力スプロケット２９とに伝動チエン３０が懸回されている。そしてカウンタ入力スプロケット２７と同軸のカウンタギヤ３１が入力ギヤ３２に噛合して掻込体５の回転軸６を回転駆動するようになっている。
【００１６】
本発明は上記のように構成したので、第１軸Ａと第２軸Ｂとに着脱可能に分割構成した回転軸４は、軸端に嵌着されている入力プーリ１７等を取外してスライドさせれば、入力プーリ１７等の嵌め合い部の長さＬ１が第２軸Ｂのスライド可能範囲Ｌ２よりも短いので、回転軸４の軸端がカッタ枠体２の側板から外れるまでスライドさせることができる。そしてフランジ部１５に挿通したボルト１６を外せば回転軸４を取外すことができるので、点検整備作業等を容易に行うことができる。
【００１７】
また切換レバー１２の操作により、掻込体５とカッタ体３とがラップしない位置とに切替えてから回転軸４を取外すようにすれば、回転軸４をスライドさせるときに、掻込体５とカッタ体３とが互いに干渉しないので、一層容易に取外すことができる。なお回転軸６を分割構成した場合も同様に取外すことができる。
【００１８】
【発明の効果】
これを要するに本発明は、カッタ枠体の側板間にディスク状のカッタ体を並設した回転軸と、掻込体を並設した回転軸とを平行状に支持した排藁処理装置であって、カッタ体を並設した回転軸を、入力プーリと反対側の片側支持部の近傍で、カッタ体を設けた第１軸と、第２軸とに分離可能に分割構成し、該第２軸を前記片側支持部にスライド可能に嵌合支持する構成として、カッタ体を並設した回転軸を前記片側支持部側へスライドすると共に、第１軸を第２軸から分離することにより、第２軸を前記片側支持部に支持したまま第１軸をカッタ枠体から取り外し可能となす一方、前記第１軸を、前記入力プーリ側の支持部にスライド可能に嵌合支持すると共に、その軸端部を前記支持部より外方まで延設して該軸端部に入力プーリを着脱可能に取り付ける構成として、前記第１軸を、その軸端部の入力プーリを取り外すと共に、前記片側支持部側へスライド移動することにより、第１軸を入力プーリ側の支持部から取り外し可能となし、また、上記カッタ体と掻込体とを側面視でラップしない位置に切替可能に構成し、ラップしない位置に切替えてから第１軸を取り外すようにしたことから、分離可能に分割構成した第１軸は、スライドさせてカッタ枠体から取外すことができるので、点検整備作業等が容易となる。
【００１９】
また、カッタ体と掻込体とをラップしない位置に切替えれば、回転軸をスライドさせてもカッタ体と掻込体とは互いに干渉しないので、分割構成した第１軸を一層容易に取外すことができる。
【図面の簡単な説明】
【図１】平行状に支持した回転軸の平面図である。
【図２】回転軸を取外すときの平面図である。
【図３】位置決め軸を隔を示す平面図である。
【図４】（イ）「短切り」時の回転軸を示す側面図である。
（ロ）「長切り」時の回転軸を示す側面図である。
（ハ）カッタ体と掻込体とがラップしない状態の側面図である。
【図５】動力伝動機構の側面図である。
【符号の説明】
２      カッタ枠体
３      カッタ体
４      回転軸
５      掻込体
６      回転軸
【図１】
0003857870.tif 000002
【図２】
0003857870.tif 000003
【図３】
0003857870.tif 000004
【図４】
0003857870.tif 000005
【図５】
0003857870.tif 000006